(57)【特許請求の範囲】
【請求項１】
フレキシブルな電気コンダクタ構造体であって、
少なくとも１つの長手方向に延びる絶縁スロットを提供しているフレキシブルな長形絶縁部材と、
一体構造のフレキシブルな長形電気コンダクタと、
を含んで成り、
該長形電気コンダクタは横断方向に対面する２つの長手方向に延びるエッジ帯体を有しており、該エッジ帯体間に延びる複数の横断肋要素が本長形電気コンダクタに沿って間隔を開けて配置されており、該横断肋要素は、その弾性力によって、前記エッジ帯体を互いに離れる方向に変形させた場合に、そのエッジ帯体を強制的に互いに近接させる向きの形状復元力が作用するように構成されており、
前記横断肋要素は、ほぼ中央に設けられた曲部と、曲部の両端から前記エッジ帯体に連なる方向に延びる中間部と、中間部の端部に連なり内側に折り返されてエッジ帯体に連結する折り返し部を備えており、
前記曲部と、前記中間部と、前記折り返し部は、スロットによって隣り合う横断肋要素から分離されており、
前記電気コンダクタは前記絶縁スロット内に配置されており、該絶縁スロット内に進入するプラグ部材は前記エッジ帯体間に配置されて該エッジ帯体と電気接触状態となることを特徴とする長形電気コンダクタ構造体。
【請求項２】
横断肋要素は略Ｕ形状であって、この横断肋要素の中間部は、ほぼ直線状に延びていることを特徴とする請求項１記載の電気コンダクタ構造体。
【請求項３】
エッジ帯体は略平行な接触面を提供していることを特徴とする請求項１記載の電気コンダクタ構造体。
【請求項４】
フレキシブルな長形絶縁部材の絶縁スロットの入口に、プラグ部材の挿入口を閉鎖する状態と、前記挿入口を解放して長形電気コンダクタの絶縁スロットに対するアクセスを提供する状態の両方を、変形によって提供することのできるカバー部材が、さらに設けられていることを特徴とする請求項１記載の電気コンダクタ構造体。
【請求項５】
横断肋要素は略円形形状であり、前記横断肋要素は曲部と中間部とが同一半径で一体化して形成されていることを特徴とする請求項１記載の電気コンダクタ構造体。
【請求項６】
隣接する横断肋要素同士が、ほぼ中央に設けられた曲部で脊柱に連結されていることを特徴とする請求項１記載の電気コンダクタ構造体。
【請求項７】
脊柱は、曲部と一体的に形成されていることを特徴とする請求項６記載の電気コンダクタ構造体。
【請求項８】
エッジ帯体は中間に間隙を提供するように対面していることを特徴とする請求項１記載の電気コンダクタ構造体。
【発明の詳細な説明】
発明の背景
本発明は電気供給具に関し、さらに特定すれば、壁、床、裾板、天井等に使用するフレキシブルな（柔軟性を有する）導電路（flexible conductive track）等の電気供給具に使用する導電器あるいは電気コンダクタ（electrical conductor）に関する。
従来技術
従来より、フレキシブルな電気コンダクタは、配電システム、特にフレキシブルな導電路に使用されることが知られている。
その１例は、国際特許出願であるＰＣＴ／ＡＵ９２／００４１４に開示されており、そこにはコーナー用接続器具あるいはアダプタ等を使用せずに曲部や角部を越えて設置が可能な絶縁収納器（insulating housing）が開示されている。
フレキシブルな導電路を含む公知の配電システムは、このフレキシブルな導電路が曲げられると曲げられた側に閉鎖するように電路方向に提供されている複数の凹部（recess）を含んでいる。
前記のＰＣＴ出願に開示されているフレキシブルなコンダクタは、一連の断絶部（cut out）を有した導電ブレード（conductive blade）を保持している銅電線（solid copper wire）を含んでいる。この導電路は曲がりを全面的には吸収しないので必ずしも期待に沿うものではなく、事実、その導電要素に損傷が及びことがあった。フレキシブルな導電路に使用される別例の電気コンダクタは、前記のＰＣＴ国際出願の出願人による別特許出願において開示されている。この出願（出願番号２４２１５／９２）は電気バス配電器（electrical bus distributor）に使用する収納器内で電路方向のスロット（溝）内に配置されたフレキシブルな長形（elongate: 細長い）コンダクタ構造体を開示している。この明細書に開示されたコンダクタはフレキシブルな絶縁収納器内に提供されたスロット内に配置されたコイル形中空コンダクタを含んでいる。このコンダクタと電気プラグとの間の電気係合を提供するためこのプラグ上にはピンが提供されており、複数のコネクタソケットは分岐部材で提供され、その連続式導電要素との係合時には押し広げられてコンダクタと電気係合するようになっている。実際の使用の際には、これらコネクタソケットとコンダクタとの間の電気的接触が時には犠牲になることが予想される。なぜなら、適正な電気的接続を提供するのに必須なソケットの形状復元力が連続使用後には消失し始めるからである。
フレキシブルな導電路の１例はオーストラリア特許第６５５０６９号において教示されている。このフレキシブルな長形電気コンダクタは導電線で成り、そこに分岐体あるいは腕体が提供されている。１本または複数本の枝体を有したプラグはその枝体をそれら突出体間あるいは腕体間に配置させてコンダクタと係合する。コンダクタを収容するようにカバー帯体が採用されているが、コンダクタに対するアクセスを提供するためにはそのカバー帯体を外さなければならず、よって、カバー帯体の紛失原因となる。
上述の電気コンダクタは組み立てを要する複数の部材で構成されているという弱点を有している。すなわち製造コストがその分だけ高くなる。
さらに、このコンダクタは絶縁材料内に位置している。またこの絶縁材料は押し出し成型体内に挿入されている。この押し出し成型体はコンダクタと絶縁材料とに対してキャビティを提供しており、コンダクタと電気係合するようにプラグ挿入用のスロットを提供している。
上述構造の問題の１つは、塵や水がその押し出し成型体内に侵入することである。
発明の概要
本発明は単構造(unitary construction)のフレキシブルな長形電気コンダクタを提供する。このコンダクタは、中央に間隙を提供するように横断方向で対面した２つの長手方向（電路方向）に延びるエッジ帯体と、これらエッジ帯体間に延び、コンダクタに沿って相互に離れて配置されており、エッジ帯体が互いの方向に接近するように弾性的に変形可能な複数の横断肋要素(transverse rib elements)とを含んでいる。
本発明はさらに、電気ダクト構造体(electric duct assembly)を開示している。これは、長手方向に延びる中空部をほぼ包囲し、その中空部に対するアクセスを提供する長手方向に延びるスロットを有した長形収納体と、その中空部内に搭載され、コンダクタから電力を受け取るため電気コネクタによってその収納体に沿った選択位置で係合するように提供された長形で絶縁された電気コンダクタと、その収納体に対して係留的に搭載され、前記のスロットの入口を閉鎖しているがそのコネクタに対するアクセスを提供するために変形が可能なカバー手段とを含んでいる。
本発明はさらに、電気コンダクタに使用する長形絶縁部材を開示している。この絶縁部材は、コンダクタを受領するための長手方向に延びたスロットと、このスロットを閉鎖するがコンダクタに対するアクセスを提供するように変形が可能である少なくとも弾性的に変形可能なフランジとを有している。
【図面の簡単な説明】
本発明のいくつかの好適態様を図面に基づき以下において解説する。
図１は本発明の１好適実施例による連続式コンダクタの斜視図である。
図２は絶縁収納体に埋め込まれた状態の図１の連続式コンダクタの断面図である。
図３は電気プラグのピンが挿入された状態の図２のコンダクタを示す断面図である。
図４はそのコンダクタの一部のみが絶縁収納体に埋め込まれた状態の連続式コンダクタの断面図である。
図５は絶縁収納体に埋め込まれた状態の別態様を有したコンダクタの断面図である。
図６は本発明の１実施例による電気プラグのピンと連続式コンダクタとの間の典型的な係合状態を示すフレキシブルな電気ダクトの断面図である。
図７は本発明の１好適実施例による一連の肋体を示すフレキシブルな連続式コンダクタの平面図である。
図８は本発明の別実施例によるフレキシブルなコンダクタの断面図である。
図９ａと図９ｂとはそれぞれ非曲形状と曲形状とである図８に示すフレキシブルな電気コンダクタの典型的な脊柱の肋体を示している。
図１０は電気ダクトの概要を示す斜視図である。
図１１は図８の電気ダクトの一部を断面で概要を示した正面図である。
図１２は図１０の電気ダクトに採用された長形（細長い）絶縁材料の概要を示す斜視図である。
図１３は図１０の電気ダクトに使用が可能なコネクタの概要を示す側面図である。
図１４はフレキシブルな長形（長細い）コンダクタと、その周囲の絶縁体の概要を示す斜視図である。
図１５は図１２の電気コンダクタと絶縁体との概要を示す断面図である。
図１６は図１０の電気ダクトに採用されたカバー帯体の概要を示す斜視図である。
図１７は図１６のカバー帯体の概要を示す端面図である。
図１８は図１４の電気コンダクタと絶縁材料とを受領するように提供された電気ダクト収納体の概要を示す端面図である。
図１９は図１８の電気ダクトの概要を示す端面図である。
図２０は図１８の電気ダクトの概要を示す斜視図である。
図２１は図１４の電気コンダクタの概要を示す斜視図である。
図２２は図２１の電気コンダクタの概要を示す端面図である。
図２３は図２１の電気コンダクタの概要を示す側面図である。
図２４は別例の絶縁部材の概要を示す端面図である。
図２５は長形（長細い）保持収納体に挿入された図２４の絶縁部材の概要を示す端面図である。
図２６は図２５の絶縁部材に採用された電気コンダクタの概要を示す端面図である。
図２７は別例の電気コンダクタの概要を示す斜視図である。
好適実施例の詳細な説明
図１には本発明の１好適実施例による導電要素１が示されている。この実施例において、電気コンダクタは、２本のエッジ帯体（以下、脊柱とも言う）を有しているが、電気コンダクタは１本の脊柱からでも成形が可能である。その場合には、各肋体は１自由端を有することになる。導電要素１は、連続式脊柱２と３とを含んでおり、それらには複数の横断肋要素（以下、導電肋体若しくは肋体とも言う）４が取り付けられている。好適には、導電肋体４は、それぞれ脊柱２及び３と一体化されている。各肋体４の中央には、曲部８が設けられている。曲部８の両端から、脊柱２と３に連なる方向に、２本の中間部１２が延びている。２本の中間部１２の先端は、内側に曲げられて、折り返し７、９が形成されている。肋体４のこの折り返し７，９の先に連なる部分を折り返し部と称する。一方の折り返し部が脊柱２に連結しており、他方の折り返し部が脊柱３に連結している。一方の折り返し部の先端が脊柱２と連結して一体化していることで、脊柱２は、導電要素１の端部５として機能する。他方の折り返し部の先端が脊柱３と連結して一体化していることで、脊柱３は導電要素１の端部６として機能する。折り返し部が中間部の内側に折り返されていることによって、端部５の先端は端部６近辺に位置する。脊柱２と脊柱３は電気プラグからのピン（図３）を受領する一対の顎部を形成している。これら顎部はそのピンが中央に挿入されたときに押し広げられ、端部５及び６とそのピンとを連続的な電気的接触状態におく。
図２にはプラスチック収納体１０に埋め込まれた状態の図１の連続式電気コンダクタの断面図が示されている。コンダクタ１は、脊柱２と３と一体化した一連の肋体を含んでいる。図２において、典型的な肋体４は銅製である。この実施例においては、これら肋体４にはコールドベンディング法（cold bending）にて中央に曲部８が設けられている。更に、各々の肋体は、中間部の先端を折り返して折り返し部を形成するために、コールドベンディング法（cold bending）にて折り返し７，９が設けられている。各端部５が端部６に接近して顎部を形成し、ピン１９（図３）がその中央を通過するときに電気的接続を提供する。収納体１０は、外側ケース１４と内側芯体１５とを含んでいる。外側ケース１４は、フレキシブル性と強度とを併せ有しているプラスチック材料で成型されており、内側芯体１５は、さらに柔軟でフレキシブルなプラスチック材料で成型されている。この実施例によれば、肋体４はほぼ完全に内側芯体１５に埋め込まれているが、端部５と６の先端は収納体１０の外部に存在し、挿入されたピン１９（図３）と端部５と６との間に電気的接続を提供するものでなければならない。収納体１０は通路１６を有しており、ピン１９は通路１６に挿通されて端部５と６との電気的接続を確立する。
図２は電気的接続を確立するためのピン１９の挿入前の状態の肋体４の形状と内側芯体１５の立体形状とを示している。ピンの挿入前には、端部５と６とは相互にほぼ垂直状態であり、内側芯体１５の突起部１７と１８とによってその状態に保たれている。突起部１７と１８は、端部５と６に、ある程度の変形抵抗性を提供するが、端部５と６はピン１９が開放されたときに元の形状に戻るように、フレキシブルな銅材料の復元力を活用している。ピンが反復的に挿入されたり、抜き出されたとき、銅製コンダクタの弾性記憶(elastic memory)は電気的接続の信頼性に対して重要な役割を果たす。この場合には、ピンが挿入されたときの銅の変形度は非常に小さく、従ってその弾性記憶は充分に保持される。
図３には電気プラグのピン１９を挿入した状態を示す図２の導電肋体４の断面図が示されている。導電肋体４は図２に関して説明したように絶縁収納体１０内に埋め込まれている。ピン１９が端部５と６との間に挿入されると、端部５と６は、横断肋要素の弾性力によってそれぞれ提供されるピン方向への自然な反発力をピン１９に対して作用させ、ピン１９と端部５と６とのそれぞれとの間で連続的な電気的接続を確実に提供する。
図４には別例の収納体２２に部分的にのみ挿入された肋体４が示されている。この実施例によれば、収納体２２は図２及び図３に示す内側芯体１５のような内側芯体を含んではいない。肋体４は曲部８のみが収納体２２のプラスチック材料に埋め込まれた状態で通路２３内に提供されている。この実施例によれば、端部５と６との間のピンの電気的接続の信頼性は銅材料の復元力に頼っている。
図５には肋体と収納体との別態様が示されている。この実施例によれば、収納体２４は脊柱２７と２８とでそれぞれ終結する実質的に円形な本体２６と有した肋体２５を含んでいる。図４の肋体４と同様に、肋体２５は部分２９を介して収納体２４に部分的にのみ埋め込まれている。ピン（図示せず）と脊柱２７と２８との間の電気的接続は図３に関する解説同様に提供される。溝２７ａ（図７参照）は、本体２６の中間部と折り返し部の接続部である折り返し２６ａと折り返し２６ｂの前方で終結しなければならない。さもなければ、連続式コンダクタのフレキシビリティが犠牲となろう(compromised)。このことは、図１から図４の肋体においても同様である。溝は折り返し２６ａと折り返し２６ｂとの周囲を越えて延びる。さもなければフレキシビリティが犠牲となろう。
図６は連続式コンダクタ３１と３２とを採用した典型的なフレキシブルタイプの裾ダクト構造体（skirting duct assembly）３０の断面図を示している。典型的には、ダクト収納体３３は電力供給を必要とする壁面に搭載される。収納体３３は、コンダクタ３１と３２とを受領して保持するプラスチック収納体３４を含んでいる。図６に示す構造は前述した図５のコンダクタを収納体との構造を採用している。電気的接触を電気プラグ３５と連続式コンダクタ３１と３２との間に設定するときには、プラグ３５は開口部３６にまで前進し、ピン３７と３８とに開口部を貫通させる。このようなことはプラグ３５が回転し、ピン３７と３８とが開口部３６の縦軸と平行になるときのみに達成される。プラグが挿入され、ピン３７と３８とが開口部３９と４０とに対してそれぞれ整合しているときプラグ３５は回転され、ピン３７及び３８はコンダクタ３１及び３２と前述のように係合する。
コンダクタ３１と３２とは、例えば電気ダクトが角部や曲面を超えて延びる必要がある場合に曲部を形成することが可能であり、ピン３７と３８とコンダクタとの間の安定した密着を可能にして確実な電気的接続を提供するように形成されている。
導電肋体が分離しているため、電気コンダクタが収容されるダクトは、ピンと各肋体の顎部との間の電気的接触を破壊するリスクを冒さずに自由に曲げられる。接続部に熱が発生するような状況下では、電気的接触は顎部間の電気的接続を確実にするため、収納体の絶縁材料の特性には頼っていない。もし電気的接続が絶縁材料の完全性（integrity:形状の保全についての完全性）に頼っており、熱がその絶縁材料に影響を及ぼすようなら電気的接続状態はしばしば悪影響を受けるであろう。本発明によれば、導電要素の顎部はピン１９の方向に充分な反発力を有しており、絶縁材料の完全性を頼りにしているわけではない。
図７は１好適実施例に基づくフレキシブルな電気コンダクタ４５の平面図を示す。コンダクタ４５は、脊柱４７と４８と一体化しており、間隔を開けて提供された一連の肋体４６を有している。
本発明の別実施例によれば、非導電性材料から製造される肋体と脊柱との構造体を含むフレキシブルな電気コンダクタが提供される。この実施例の脊柱は、電流を通すための銅線や銅帯体のごとき導電要素を受領するような３次元構造を有している。好適には、この非導電性材料は充分なフレキシビリティと耐久性とを併せ有したリン青銅（phosphorous bronze）である。フレキシブルな材料での脊柱と肋体との構造体の製造はフレキシビリティの要求は満たすが、導電性の要求を満たすとは限らない。導電性は、銅帯体または銅線の導入で提供される。脊柱に挿入される電気プラグは銅線と接触して電気的接続効果を提供する。この構造は材料費を引き下げ、電気抵抗を弱める。
図８は本発明の別実施例によるフレキシブルなコンダクタの断面図である。このフレキシブルなコンダクタは、同じ長さ、または別々の長さで、それぞれ自由端５３と５４で終結する肋体５１と５２を有する脊柱５０を含んでいる。図８の場合、肋体５１と５２は異なる長さを有している。異なる長さを有したこれら肋体の長所は、フレキシブルな導電体が曲げられて角部を曲がるときに（図９ａと図９ｂ）それら脊柱が互いに接触しないことである。図８の脊柱５０は、フレキシブルなＰＶＣ樹脂成型体５５に部分的に埋め込まれている。
図９ａと図９ｂには、プラスチック成型体から独立した状態の典型的な脊柱５６が示されている。図９ａは通常形態の肋体５７と５８とを示している。図９ｂは肋体５８と実質的に整合状態に押さえつけられた状態の肋体５７を示している。この形状は、フレキシブルなコンダクタが角部を曲がり、肋体が占める空間を減少させ、曲がり目と角部で体積を減少させるときに生じる。肋体５７と５８のそれぞれの端部には、銅製の導電部５９と６０が存在する。これらがフレキシブルなコンダクタ内に挿入された電気プラグの導電ピンと接触する。
図１０には２つの部分１１２と１１３とから成る長形収納体１１１を含む電気ダクト１１０の概要が示されている。長形部分１１２と１１３は、例えば、アルミニウムまたはプラスチック製である。部分１１１と１１２は、合体されると中空部を提供し、その内部にフレキシブルな絶縁部材１１５内に収容された３つのフレキシブルな電気コンダクタ１１４を収容する。
細長い部分１１２と１１３は、共同でスロット１１６を定義しており、スロットの入口は、カバー部材１１７で閉じられている。
前記の電気ダクト１１０の使用に際しては、ダクト１１０は、コンダクタ１１４のそれぞれと選択的に係合するように提供された３本の枝体(tines)１１９を含むプラグあるいはコネクタ１１８（図１３）と共に使用される。コネクタ１１８はベース部１２０を有しており、これはスロット１１６を通過して挿入される。その後、コネクタ１１８は回転され、枝体１１９をコンダクタ１１４と接触状態にする。
カバー部材１１７は、例えば、フォーム樹脂材で成型が可能であり、横断方向にスロットあるいは溝が提供される。
コネクタ１１８がスロット１１６を通過して挿入されたとき、カバー部材１１７は弾性的に変形してコンダクタ１１４に対するアクセスを提供する。コネクタ１１８が取り除かれると、カバー部材１１７は元の形状に戻り、スロット１１６を閉鎖する。
図１１には長形絶縁部材１２２内に位置する３つのコンダクタ１２１を受領する別例の成型体１２０の概要が図示されている。
成型体１２０は、長手方向に延びる端部壁１２３を有しており、そこから２つの長手方向に延びるフランジ１２４と１２５が延び出ている。フランジ１２４は長手方向に延びるフック部１２６で終結する。一方、フランジ１２５は長手方向に延びるフック部１２７を有している。
絶縁部材１２２は長手方向に延びる山部１２８と１２９を有しており、これらはフック部１２６と１２７と共同で絶縁部材１２２、すなわちコンダクタ１２１をその位置に保持する。
端部壁１２３にも絶縁部材１２２内に形成された長手方向に延びる谷部内に延び入る長手方向に延びる山部１３０が提供されている。
コンダクタ１２１と絶縁部材１２２は、フレキシブルである。
図２１から図２３にかけて明瞭に図示されているように、各コンダクタは、複数の横断要素１３２に結合する２枚の長手方向に延びる端部帯体１３１を含んでおり、これら横断要素１３２は、コンダクタ１２１に沿って分離状態で提供されている。コンダクタ１２１は、基本的にはリン青銅でできており、弾力性を有している。さらに、端部帯体１３１に沿って延びる銅製帯体１３３が提供されている。端部帯体１３１は、長手方向に延びる脊柱を提供する。
図２２に明瞭に図示されているように、両帯体１３１は、距離”Ａ”分だけ第１方向に離間して提供されており、距離”Ｂ”分だけ第２方向に離間して提供されている。これらの距離は、コンダクタ１２１の長手方向に対して垂直に横断する方向にて提供される。
図１４と図１５には、絶縁部材１３２の別例の形状の概略が図示されている。この実施例においては、絶縁部材１３２は長手方向に延びる中央スロット１３４を有しており、これは周囲の成型体の壁上に対応して形成されたフック部(barb:さかとげ)と協調作用（係合）するものである。
例えば、図１４と図１５とに示す絶縁部材１３２とコンダクタ１２１とは、図１８と図１９に示すような成型体１３５にも採用が可能である。成型体１３５は壁部１３６を有しており、そこからフック部１３７が延びており、スロット１３４内で係合する。この実施例においては、成型体１３５は離れて提供された端部壁１３８と１３９とを有しており、それらの間で閉鎖部材１４０と１４１とが延びている。両閉鎖部材１４０と１４１を壁部１３８と１３９のうちで関連した方の壁に回動自在に取り付け、図１９に示す位置から図１８に示す位置にまで変形させることが可能であろう。図１８に示すように、リップ部１４２はそれらをその位置に保持するのを援助するであろう。閉鎖部材１４０と１４１は別々に提供されており、成型体１３５の一部を露出させ、コネクタとコンダクタ１２１とを係合させるようにアクセスを提供するであろう。この実施例においては、成型体１３４はコンピュータフロアのごとき床部での使用が想定されている。
図２４にはフレキシブルなプラスチック材料から成る長形絶縁部材１５０が略式に示されている。典型的には、この絶縁部材１５０は押し出し成型されるであろう。絶縁部材１５０は、長形支持体１５１に含まれるように想定されている。これはアルミニウムまたはプラスチック押し出し成型体等でよい。支持体１５１は、一般的にベース部１５４に対して垂直に延びる第１フランジ部１５３を含むＬ形フランジ１５２を有している。フランジ部１５３からはさらにフランジ部１５５が延びている。フランジ部１５３と１５５とはベース部１５４と共同で長形スロット１５６を定義しており、その内部に絶縁部材１５０が位置して保持される。ベース部１５４は長手方向に延びる肋体１５７を有しており、これは絶縁部材１５０がスロット１５６内から外れるのを防止している。
絶縁部材１５０は、３つの長形コンダクタ１５８（図２６）を受領している。絶縁部材１５０は、コンダクタ１５８を受領するように形成された３つの長手方向に延びるスロット１５９を有している。絶縁部材１５０は、さらに一対の変形可能な脚体１６０を有しており、これらはスロット１５６内に配置されたとき相互方向に（互いに近接する方向に）向かって変形される。各脚体１６０は、関連(associated)スロット１５９を閉鎖する長手方向に延びる端部フランジ１６１を有している。同様に、中央スロット１５９は、一対の長手方向に延びるフランジ１６２で閉鎖される。
フランジ１６１と１６２は、プラグと係合するときに変形が可能であり、よってプラグはコンダクタと電気的に接続される。
絶縁部材１５０も支持体１５１の長手方向に延びるフック部１６４と係合するように形成された中央スロット１５６を有しており、絶縁部材１５０をスロット１５６内に保持するのをさらに援助する。
各コンダクタ１５８は逆Ｕ形状である。典型的には、絶縁部材１５８は図２５と図２６の絶縁部材と同様な構造を有しており、複数の肋体または脚体１６６を結合させる長手方向に延びる接触部分１６５を有していよう。長手方向の結合は長手方向に延びる脊柱(spine)１６７によって追加的に提供されるであろう。
追加脊柱１６７は必要であれば追加的電流のために提供される。さらに、各脚体または肋体１６６の頂点１６８に隣接していることで、横軸周囲のコンダクタ１５８のフレキシビリティは減少していない。図２６において、コンダクタ１５８は一般的に平行に並んで長手方向に延びる接触部分１６５を有している。
以上本発明を解説してきたが、当業者であれば本発明の精神と範囲とから逸脱せずに本発明に多数の改変と改良とを施すことが可能であることは理解されよう。
【図１】
0003796516.tif 000002
【図２】
0003796516.tif 000003
【図３】
0003796516.tif 000004
【図４】
0003796516.tif 000005
【図５】
0003796516.tif 000006
【図６】
0003796516.tif 000007
【図７】
0003796516.tif 000008
【図８】
0003796516.tif 000009
【図９ａ】
0003796516.tif 000010
【図９ｂ】
0003796516.tif 000011
【図１０】
0003796516.tif 000012
【図１１】
0003796516.tif 000013
【図１２】
0003796516.tif 000014
【図１３】
0003796516.tif 000015
【図１４】
0003796516.tif 000016
【図１５】
0003796516.tif 000017
【図１６】
0003796516.tif 000018
【図１７】
0003796516.tif 000019
【図１８】
0003796516.tif 000020
【図１９】
0003796516.tif 000021
【図２０】
0003796516.tif 000022
【図２１】
0003796516.tif 000023
【図２２】
0003796516.tif 000024
【図２３】
0003796516.tif 000025
【図２４】
0003796516.tif 000026
【図２５】
0003796516.tif 000027
【図２６】
0003796516.tif 000028
【図２７】
0003796516.tif 000029